(57)【要約】      （修正有）【課題】外観品質を向上すると共に指針軸穴の周縁部との干渉を防止し得る計測装置の指針構造を提供する。【解決手段】文字板２の指針軸穴１１から突出される指針軸部８を中心として、文字板２の表面に沿って回動する指針３が、軸受部１５と、ポインタ部１６と、反射面部１７とを有する指針本体１８と、指針カバー２１と、バランスウェイト２２とを有し、バランスウェイト２２が、文字板２へ向かって、指針軸部８の軸線方向２８へ延びるメインウェイト部３１と、このメインウェイト部３１における、文字板２とは反対側の端部の側面またはその近傍からポインタ部１６の先端側へ向けて延びる前方延長部３２とを有する、側面視Ｌ字状のものとする。【選択図】図２
2014173899.tif 000002
【特許請求の範囲】
【請求項１】
文字板に形成された指針軸穴から突出される指針軸部を中心として、文字板の表面に沿って回動する指針が設けられ、
該指針が、
前記指針軸部に嵌合される軸受部と、
該軸受部から半径方向へ延びて、前記文字板に形成された目盛を指し示すポインタ部と、
前記軸受部の前記ポインタ部とは反対側の部分に形成されて、前記指針軸穴から出射された指針照明用の光をポインタ部の先端側へ向けて反射する反射面部と、を有する指針本体を備え、
更に、前記指針が、
前記指針本体の、少なくとも、前記軸受部および前記反射面部を覆う指針カバーと、
前記指針カバー内における前記反射面部の背面側に設けられて、前記ポインタ部を前記文字板と平行に保つためのバランスウェイトと、を有する計器装置の指針構造において、
前記バランスウェイトが、前記文字板へ向かって、前記指針軸部の軸線方向へ延びるメインウェイト部と、
該メインウェイト部における、前記文字板とは反対側の端部の側面またはその近傍から前記ポインタ部の先端側へ向けて延びる前方延長部とを有する、側面視Ｌ字状のものとされたことを特徴とする計器装置の指針構造。
【請求項２】
前記反射面部が、前記文字板から前記軸線方向に遠ざかるに従い、前記ポインタ部の先端側へ向けて傾斜するよう設けられ、
前記前方延長部が、反射面部に沿って前記ポインタ部の先端側へ延びる当接面を有するものとされたことを特徴とする請求項１に記載の計器装置の指針構造。
【発明の詳細な説明】
【技術分野】
【０００１】
この発明は、外観品質を向上すると共に指針軸穴の周縁部との干渉を防止し得るようにした計器装置の指針構造に関するものである。
【背景技術】
【０００２】
自動車などの車両には、車室内の前部にインストルメントパネルが設置されている。このインストルメントパネルの運転席側の部分や、運転席と助手席との間の部分などには、各種の運転情報などを表示するための計器装置が設けられている。
【０００３】
このような計器装置には、文字板と、この文字板の表面に沿って回動する指針とを有するもの（いわゆるアナログ式メータ）が存在している（例えば、特許文献１参照）。
【先行技術文献】
【特許文献】
【０００４】
【特許文献１】特開２０１２−８０９２号公報
【発明の概要】
【発明が解決しようとする課題】
【０００５】
しかしながら、上記特許文献１に記載された計器装置の指針構造には、以下のような問題があった。
【０００６】
即ち、指針の後部には、文字板と平行に保つようにするためのバランスウェイトが取付けられているが、このバランスウェイトが、指針後部の文字板寄りの位置で、しかも、文字板に形成された指針軸穴に近い位置に取付けられていたため、寸法誤差や組付誤差などが生じた場合に、バランスウェイトが、指針軸穴の周縁部と干渉してしまうおそれがあった。
【０００７】
これに対し、バランスウェイトを、指針軸穴から遠くに離して取付けることも考えられるが、このようにすると、指針の後方への張出量が大きくなってしまい、見栄えが悪くなる。
【課題を解決するための手段】
【０００８】
上記課題を解決するために、請求項１に記載された発明は、
文字板に形成された指針軸穴から突出される指針軸部を中心として、文字板の表面に沿って回動する指針が設けられ、
該指針が、
前記指針軸部に嵌合される軸受部と、
該軸受部から半径方向へ延びて、前記文字板に形成された目盛を指し示すポインタ部と、
前記軸受部の前記ポインタ部とは反対側の部分に形成されて、前記指針軸穴から出射された指針照明用の光をポインタ部の先端側へ向けて反射する反射面部と、を有する指針本体を備え、
更に、前記指針が、
前記指針本体の、少なくとも、前記軸受部および前記反射面部を覆う指針カバーと、
前記指針カバー内における前記反射面部の背面側に設けられて、前記ポインタ部を前記文字板と平行に保つためのバランスウェイトと、を有する計器装置の指針構造において、
前記バランスウェイトが、前記文字板へ向かって、前記指針軸部の軸線方向へ延びるメインウェイト部と、
該メインウェイト部における、前記文字板とは反対側の端部の側面またはその近傍から前記ポインタ部の先端側へ向けて延びる前方延長部とを有する、側面視Ｌ字状のものとされたことを特徴とする。
請求項２に記載された発明は、上記において、
前記反射面部が、前記文字板から前記軸線方向に遠ざかるに従い、前記ポインタ部の先端側へ向けて傾斜するよう設けられ、
前記前方延長部が、反射面部に沿って前記ポインタ部の先端側へ延びる当接面を有するものとされたことを特徴とする。
【発明の効果】
【０００９】
請求項１に記載された発明によれば、上記構成によって、以下のような作用効果を得ることができる。
即ち、バランスウェイトを、メインウェイト部の文字板とは反対側の端部の側面またはその近傍に前方延長部を有する側面視Ｌ字状のものとしたことにより、指針本体のバランスを保つのに必要な重量を確保しつつ、指針本体の背面側への張り出しを少なくして見栄えを向上することができる。
しかも、メインウェイト部の文字板側の端部を、張出部などのないすっきりした形状にすることができるので、指針照明用の光の漏れを防止するために指針軸穴の周囲に設けられる遮光用壁部に対して、誤差などを吸収するのに必要な間隔を確保して設置することが可能となる。以って、バランスウェイトと遮光用壁部との干渉を回避することが可能となる。これにより、反射面部の背面側の狭いスペースを有効に活用してバランスウェイトを効果的に設けることができる。
請求項２に記載された発明によれば、上記構成によって、以下のような作用効果を得ることができる。
即ち、前方延長部を、反射面部に沿ってポインタ部の先端側へ延びる当接面を有するものとしたことにより、反射面部の背面側の狭いスペースを更に有効に活用してバランスウェイトをより有利に設けることができる。
【図面の簡単な説明】
【００１０】
【図１】本発明の実施例にかかる計器装置の指針構造を示す平面図である。
【図２】図１の断面図である。
【図３】指針カバーの一例（部分カバー）を示す斜視図である。
【図４】指針カバーの別の例（全体カバー）を示す斜視図である。
【図５】他の実施例にかかる図２と同様の断面図である。
【発明を実施するための形態】
【００１１】
以下、本実施の形態、および、それを具体化した実施例を、図面を用いて詳細に説明する。
図１〜図５は、この実施の形態の実施例およびその変形例を示すものである。
【実施例１】
【００１２】
＜構成＞以下、構成について説明する。
自動車などの車両には、車室内の前部にインストルメントパネルが設置されている。このインストルメントパネルの運転席側の部分や、運転席と助手席との間の部分などに対し、速度や、エンジン回転数や、燃料残量や、エンジン冷却水温などの各種の運転情報などを表示するための計器装置を設ける。
【００１３】
そして、図１、図２に示すように、この計器装置１を、文字板２と、この文字板２の表面に沿って回動する指針３とを有する、アナログ式メータとする。
【００１４】
文字板２には、指針３が回動するほぼ円形状の領域の周縁部に沿って、指針３によって指し示される目盛４や数値などの指標が適宜設けられている。
【００１５】
そして、文字板２の裏面側には、図２に示すように、所要の間隔を有して、文字板２と平行に基板６（回路基板）が配設されている。
【００１６】
この基板６の裏面側には指針駆動装置７が取付けられており、この指針駆動装置７の出力軸である指針軸部８は、基板６および文字板２を貫通して文字板２の表面側に突出されている。指針駆動装置７には、例えば、交差コイル式のものやステッピングモータなどのアクチュエータが使用される。
【００１７】
文字板２には、指針軸部８が貫通する指針軸穴１１が形成されている。上記した目盛４は、この指針軸部８と同心状に形成されている。また、基板６と文字板２との間には、特に明確には図示しない樹脂製の中間ハウジングが設けられており、この中間ハウジングには、指針軸部８の周囲を取囲むように、円筒状の遮光用壁部１３が設けられている、この遮光用壁部１３の先端部１３ａは、指針軸部８に貫通されて、文字板２の表面側へ僅かに突出されている。そして、基板６には、遮光用壁部１３の内側の部分に、指針照明用の光源１４が１個または複数個取付けられている。この光源１４には、例えば、ＬＥＤなどが使用される。
【００１８】
そして、上記した指針３は、文字板２に形成された指針軸穴１１から突出される指針軸部８を中心として、文字板２の表面に沿って回動するものとされる。
【００１９】
この指針３は、上記指針軸部８に嵌合される軸受部１５と、この軸受部１５の先端側（文字板２から離れた側）から半径方向へ延びて、上記文字板２に形成された目盛４を指し示すポインタ部１６と、上記軸受部１５の先端側の上記ポインタ部１６とは反対側（後側）の部分に形成されて、上記指針軸穴１１から出射された指針照明用の光をポインタ部１６の先端側へ向けて反射する反射面部１７と、を有する指針本体１８を備えている。
【００２０】
また、上記指針３は、上記指針本体１８の、少なくとも、上記軸受部１５および上記反射面部１７を覆う指針カバー２１を備えている。
【００２１】
更に、上記指針３は、上記指針カバー２１内における上記反射面部１７の背面側に、上記ポインタ部１６を上記文字板２と平行に保つためのバランスウェイト２２を備えている。
【００２２】
（補足説明１）
ここで、上記した「文字板２」は、透明な樹脂製のフィルムなどによって形成されている。そして、この透明な樹脂製のフィルムに対し、例えば、上記した目盛４や数値などの指標を残して不透光性の印刷層を形成することなどにより、目盛４や数値を透過照明可能に構成している。なお、文字板２を照明するための光源は、上記した指針照明用の光源１４とは別に、基板６などに設けられる。
【００２３】
上記した「目盛４」は、指針軸穴１１の中心から放射状に延びるように形成される。特に明確には図示しないが、この目盛４には、大目盛や、中目盛や、小目盛などを設けることができる。
【００２４】
上記した「指針軸部８」は、指針軸穴１１の中心位置に設置される。但し、基板６と指針駆動装置７との間や、基板６と文字板２との間の寸法誤差や組付誤差などによって、指針軸部８が指針軸穴１１の中心からズレてしまうようなことも生じ得る。
【００２５】
上記した「指針軸穴１１」は、上記したように、遮光用壁部１３が貫通できるような大きさに形成される。
【００２６】
上記した「軸受部１５」は、この場合、指針軸部８を圧入可能なスリーブ状の部分を有するものとされる。この軸受部１５は、ポインタ部１６の基部に設けられている。
【００２７】
上記した「半径方向」は、この場合、軸受部１５を中心とした、文字板２の面と平行な方向のことである。
【００２８】
上記した「ポインタ部１６」は、指針軸穴１１の中心から目盛４にほぼ達する程度の長さに形成される。ポインタ部１６は、指針照明用の光を内部で導く導光板としての機能も有している。そして、例えば、ポインタ部１６の文字板２側の面（図２の下面）などには、指針照明用の光を内部で反射させるようにすると共に、外へ逃がさないようにするための不透光性の反射層が、ホットスタンプなどによって形成される。
【００２９】
上記した「指針照明用の光」は、上記した指針照明用の光源１４から出射されるものであり、指針軸部８の文字板２側の面（入射面２５）から指針本体１８の内部へ入射される。
【００３０】
上記した「反射面部１７」は、上記入射面２５から入射された指針照明用の光をポインタ部１６の先端側へ向けて反射させるものである。この反射面部１７には、指針照明用の光を内部で反射させるようにすると共に、外へ逃がさないようにするための不透光性の反射層が、ホットスタンプなどによって形成されている。
【００３１】
上記した「指針本体１８」は、内部で光を導くため、無色透明または有色透明の樹脂部品によって構成されている。
【００３２】
上記した「指針カバー２１」は、図３に示すように、軸受部１５と、反射面部１７と、を覆う部分的なもの（部分カバー２６）としても、または、図４に示すように、軸受部１５と、反射面部１７と、ポインタ部１６の少なくとも両側面などを覆う全体的なもの（全体カバー２７）としても良い。この全体カバー２７には、外部からポインタ部１６が視認できるようにするためのスリット部が形成されている。
【００３３】
なお、指針カバー２１の軸受部１５を覆う部分２１ａ（軸受包囲部）は、上記した遮光用壁部１３よりも一回り大きい円筒形状などとされて、遮光用壁部１３を外側から包囲し得るように構成されている。この際、指針カバー２１の軸受部１５を覆う部分２１ａと遮光用壁部１３とは、図２に示すように、指針軸部８の軸線方向２８に対して一部重複される。これにより、指針照明用の光の外部への漏れが防止されるようになっている。
【００３４】
上記した「バランスウェイト２２」は、文字通り、指針３のバランスを保持するためのものである。バランスウェイト２２には、所要の重さが必要となる。
【００３５】
上記した「指針軸部８の軸線方向２８」は、文字板２と面直な方向である。
【００３６】
そして、以上のような基本構成に対し、この実施例のものでは、以下のような構成を備えるようにしている。
【００３７】
（構成１）
上記バランスウェイト２２は、上記文字板２へ向かって、上記指針軸部８の軸線方向２８へ延びるメインウェイト部３１を有するものとされる。
また、上記バランスウェイト２２は、このメインウェイト部３１における、上記文字板２とは反対側の端部の側面またはその近傍から上記ポインタ部１６の先端側へ向けて延びる前方延長部３２とを有するものとされる。そして、バランスウェイト２２は、全体として、側面視Ｌ字状のものとされる（Ｌ字状バランスウェイト）。
【００３８】
（補足説明１）
ここで、上記した「メインウェイト部３１」は、指針軸部８の軸線方向２８へ延びるほぼ均一断面の部分とされる。
【００３９】
上記した「文字板２とは反対側の端部の側面またはその近傍」は、文字通り、指針軸部８の軸線方向２８に対して、文字板２から離れた側の端部の側面、または、上記端部の側面の近傍という意味である。
【００４０】
上記した「前方延長部３２」は、メインウェイト部３１の均一断面の部分に対して、ポインタ部１６の先端側へ向けて張出す部分とされる。但し、メインウェイト部３１と前方延長部３２とは、明確な境界を有していなくても良い。
【００４１】
（構成２）
図５に示すように、上記反射面部１７が、上記文字板２から上記軸線方向２８に遠ざかるに従い、上記ポインタ部１６の先端側へ向けて傾斜するよう設けられ（傾斜面３５または前傾傾斜面）。
上記前方延長部３２が、反射面部１７（の後部の傾斜面３５）に沿って上記ポインタ部１６の先端側へ延びる当接面３６を有するものとされる（傾斜当接面）。
【００４２】
（補足説明２）
ここで、上記した「傾斜面３５」は、例えば、文字板２の面に対して４５度程度の傾斜角を有するものなどとされる。但し、傾斜面３５の角度は、４５度に限るものではなく、４５度を中心として若干（±５°程度）の範囲を有していても良い。
【００４３】
上記した「当接面３６」は、上記した傾斜面３５の少なくとも一部、即ち、傾斜面３５の文字板２から離れた側の部分などに対して当接するものとされる。
【００４４】
＜作用＞以下、この実施例の作用について説明する。
指針駆動装置７を駆動して、指針軸部８を介し、指針３を回動させることにより、指針３が、文字板２に形成された目盛４を指し示すようにすることができる。これにより、乗員は、各種の運転情報などを知得することができる。
【００４５】
指針３が回動する際には、バランスウェイト２２が、バランスを取ることにより、指針３は、文字板２と平行な状態を保って安定して回動される。
【００４６】
そして、指針照明用の光源１４を点灯することにより、指針照明用の光は、遮光用壁部１３を通って、指針本体１８における、指針軸部８の文字板２側の面（入射面２５）から指針本体１８の内部に入射される。指針本体１８の内部に入射された光は、反射面部１７によってポインタ部１６の先端側へ向けて反射され、ポインタ部１６全体を光らせる。これにより、指針３を照明することができる。
【００４７】
＜効果＞この実施例によれば、以下のような効果を得ることができる。
（効果１）
図２に示すように、バランスウェイト２２を、メインウェイト部３１の文字板２とは反対側の端部の側面またはその近傍に前方延長部３２を有する側面視Ｌ字状のものとしたことにより、指針本体１８のバランスを保つのに必要な重量を確保しつつ、指針本体１８の背面側への張り出しを少なくして見栄えを向上することができる。
【００４８】
しかも、メインウェイト部３１の文字板２側の端部を、張出部などのないすっきりした形状にすることができるので、指針照明用の光の漏れを防止するために指針軸穴１１の周囲に設けられる遮光用壁部１３に対して、誤差などを吸収するのに必要な間隔を確保して設置することが可能となる。以って、バランスウェイト２２と遮光用壁部１３との干渉を回避することが可能となる。これにより、反射面部１７の背面側の狭いスペースを有効に活用してバランスウェイト２２を効果的に設けることができる。
【００４９】
（効果２）
図５に示すように、前方延長部３２を、反射面部１７（の後部の傾斜面３５）に沿ってポインタ部１６の先端側へ延びる当接面３６を有するものとしたことにより、反射面部１７の背面側の狭いスペースを更に有効に活用してバランスウェイト２２をより有利に設けることができる。
【００５０】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００５１】
１    計器装置
２    文字板
３    指針
４    目盛
８    指針軸部
１１  指針軸穴
１５  軸受部
１６  ポインタ部
１７  反射面部
１８  指針本体
２１  指針カバー
２２  バランスウェイト
２８  軸線方向
３１  メインウェイト部
３２  前方延長部
３５  傾斜面
３６  当接面
【図１】
2014173899.tif 000003
【図２】
2014173899.tif 000004
【図３】
2014173899.tif 000005
【図４】
2014173899.tif 000006
【図５】
2014173899.tif 000007